(57)【要約】【課題】被検査物の複数の面において異物を精度良く発見することができる光検査装置を提供する。【解決手段】光検査装置１０は、筐体１１と、搬送部１２と、異物Ｆに蛍光をはっせいさせるための励起光を被検査物Ｓに照射する光照射部１３と、蛍光及び被検査物Ｓからの反射光を検出する光検出部と、前記光検出部から出力された信号に基づいて検査画像を生成する画像処理部と、を備え、画像処理部は、生成した前記検査画像に基づいて、前記被検査物の表裏を判定する判定部を有する。【選択図】図１
2018155540.tif 000002
【特許請求の範囲】
【請求項１】
被検査物を検査する検査領域と、
前記検査領域において、異物に蛍光を発生させるための励起光を照射する光照射部と
前記蛍光と前記励起光の反射光を検出する光検出部と、
前記光検出部から出力された信号に基づいて検査画像を生成する画像処理部と、
を備え、
前記画像処理部は、生成した前記検査画像に基づいて、前記被検査物の表裏を判定する判定部を有することを特徴とする、光検査装置。
【請求項２】
前記判定部は、前記検査画像の明度に基づいて、前記被検査物の表裏を判定する、請求項１に記載の光検査装置。
【請求項３】
前記画像処理部は、前記被検査物の表と裏とでそれぞれ異なる設定値を用いて異物を検出する、請求項１、又は２に記載の光検査装置。
【請求項４】
前記画像処理部は、複数の前記被検査物がある場合、前記検査画像において、前記被検査物が存在する領域を抽出し、前記領域の画像に基づき、複数の前記被検査物の表裏を判定する、請求項３に記載の光検査装置。
【請求項５】
前記画像処理部は、前記被検査物が稜鱗を有する魚類であった場合、前記検査画像において、前記稜鱗部分にマスク処理を行うことを特徴とする、請求項１〜４のいずれか一項に記載の光検査装置。
【発明の詳細な説明】
【技術分野】
【０００１】
本発明は、被検査物に異物が含まれているか否かを検査するための光検査装置に関する。
【背景技術】
【０００２】
従来、搬送装置により搬送される被検査物に励起光を照射し、励起光により被検査物に含まれる異物が発生する蛍光を検出し、その検出結果に基づいて被検査物に異物が含まれているか否かを検査する検査装置が知られている。
【０００３】
例えば、特許文献１（特開平１−３１１２５３号公報）には、コンベアにより搬送される魚等の切り身に励起光を照射し、励起光により切り身に含まれる寄生虫等の異物が発生する蛍光を検出し、その検出結果に基づいて切り身に異物が含まれているか否かを検査する検査装置が開示されている。
【先行技術文献】
【特許文献】
【０００４】
【特許文献１】特開平１−３１１２５３号公報
【発明の概要】
【発明が解決しようとする課題】
【０００５】
水産工場等では、魚をフィレにしたのち、洗浄を行い、上述の検査装置において、フィレの残骨や寄生虫等の検査を行う。通常、寄生虫は、魚の身のみに生息するが、洗浄される過程で皮面に付着する場合があるため、フィレの身と皮と両面検査を行う必要がある。
【０００６】
フィレの両面を検査する場合、魚の種類によっては、皮の励起光の反射が強く、寄生虫からの発光と区別がしにくいものがある。そのため、検出感度を身と皮とでそれぞれに適した設定を行い、皮面においても精度よく寄生虫を検出する必要がある。検査工程としては、例えば身と皮とで個別の検査装置を用意し、それぞれに適した感度設定を行う。そして、前段で身の面を検査し、途中反転装置でフィレを反転させ、後段で皮面の検査を行う、といったことを行う。しかしながら、三枚おろし機から排出されるフィレは、必ずしも表裏（表を身の面、裏を皮面とする）がそろっておらず、また、フィレの洗浄工程でもさらに裏表がランダムになるため、身の面に適した感度設定を行っている検査装置の方に、身が上面になったフィレが搬送されてくるかどうかわからない。そういった場合、人手でフィレの表裏をそろえることが考えられるが、手間がかかるうえ、人員が確保できない場合は、検査漏れが発生する。
【０００７】
本発明の課題は、フィレが表裏ランダムに搬送されてくる場合であっても、精度よく寄生虫等の検査が可能である検査装置を提供することである。
【課題を解決するための手段】
【０００８】
本発明の光検査装置は、被検査物を検査する検査領域と、検査領域において、異物に蛍光を発生させるための励起光を照射する光照射部と、蛍光と励起光の反射光を検出する光検出部と、光検出部から出力された信号に基づいて検査画像を生成する画像処理部と、を備え、画像処理部は、生成した検査画像に基づいて、被検査物の表裏を判定する判定部を有する。
【０００９】
この光検査装置では、生成した検査画像から、被検査物の表裏を判定する判定部が設けられている。これにより、被検査物の表裏がランダムに搬送されてきた場合においても、表裏を判定した結果に基づいて、適応した感度で検査を行うことができる。そのため、異物を精度よく発見することができる。
【００１０】
本発明の光検査装置では、判定部は、生成した検査画像の明度に基づいて、被検査物の表裏を判定してもよい。これにより、表面と判断する明度、又は裏面と判断する明度、あるいはその両方を事前に設定しておけば、複雑な処理をすることなく、被検査物の表裏判断を行うことができる。
【００１１】
本発明の光検査装置では、画像処理部は、被検査物の表と裏とでそれぞれ異なる設定値を用いて異物を検出してもよい。これにより、被検査物の表裏がランダムに搬送されてきた場合においても、判断結果に基づき、異物検査における設定値を変更することで、検査漏れすることなく、異物検査を行うことができる。
【００１２】
本発明の光検査装置では、画像処理部は、複数の被検査物がある場合、検査画像において、被検査物が存在する領域を抽出し、抽出した領域の画像に基づき、複数の被検査物の表裏を判定してもよい。これにより、一枚の検査画像に複数の被検査物が存在し、かつ被検査物の表裏がランダムに搬送される場合であっても、被検査物が存在する領域を抽出し、それぞれについて表裏を判定することで、表と判定した被検査物と裏と判定した被検査物を1枚の検査画像にて検査をすることができる。よって、検査漏れをすることなく、異物検査を行うことができる。
【００１３】
本発明の光検査装置では、画像処理部は、被検査物がアジ科の魚であった場合、検査画像において、稜鱗部分にマスク処理を行ってもよい。これにより、蛍光発光をする稜鱗を持つアジ科の魚であっても、該当部分にマスク処理を行うことにより、異物と混同することなく、精度よく異物検査を行うことができる。
【発明の効果】
【００１４】
本発明によれば、被検査物の表裏の両面において異物を精度良く発見することができる光検査装置を提供することが可能となる。
【図面の簡単な説明】
【００１５】
【図１】本発明の一実施形態の光検査装置の構成図である。
【図２】被検査物Ｓが１つの場合の異物検査フローチャート。
【図３】被検査物Ｓが検査画面に複数存在する場合の異物検査フローチャート。
【図４】被検査物Ｓが固まって搬送されてくる場合に、１つの被検査物Ｓが検知されてから、検知しなくなるまでの出力を用いて生成した検査画像。
【図５】被検査物Ｓが検査画像に複数存在する場合の、(a)被検査物Ｓの存在領域を抽出した画像。(b)(a)の画像の、表側（第１面Ｓ１）の被検査物Ｓをマスクした画像。(c)(a)の画像の、裏側（第２面Ｓ２）の被検査物Ｓをマスクした画像。
【図６】光検査装置１０を並列に２台ならべ、その間に被検査物Ｓの裏表を転換させる転換機構を設けた光検査システム。
【発明を実施するための形態】
【００１６】
以下、本発明の実施形態について、図面を参照して詳細に説明する。なお、各図において同一又は相当部分には同一符号を付し、重複する部分を省略する。
【００１７】
図１に示されるように、光検査装置１０は、筐体１１と、搬送部１２と、光照射部１３と、光検出部１４と、処理部１５と、表示部１６、を備えている。光検査装置１０は、被検査物Ｓの表面である第１面Ｓ１及び裏面である第２面Ｓ２を検査面とし、被検査物Ｓに異物Ｆが含まれているか否かを検査するための装置である。光検査装置１０は、被検査物Ｓを搬送しつつ被検査物Ｓの第１面Ｓ１、もしくは第２面Ｓ２を検査する。被検査物Ｓは、主に、サバ、アジ、イカ、イワシ、サケ、サンマ、ホッケ等の魚介類のフィレであり、異物Ｆは、主に、アニサキス、ブリ線虫等の寄生虫、又はうろこ、残骨等である。
【００１８】
筐体１１は、外部の光（屋内の人工灯や自然光等）から検査領域Ｒを遮蔽する。筐体１１には、検査領域Ｒに被検査物Ｓを搬入するための搬入口１１ａ、及び検査領域Ｒから被検査物Ｓを搬出するための搬出口１１ｂが形成されている。なお、筐体１１内には、搬入口１１ａ及び搬出口１１ｂ等を介して外部の光が進入し得るが、検査領域Ｒは、筐体１１によって外部の光から十分に遮蔽されている。つまり、筐体１１は、後述する蛍光の検出が阻害されないように外部の光から検査領域Ｒを遮蔽するものであればよく、外部の光から検査領域Ｒを完全に遮蔽するものである必要はない。
【００１９】
搬送部１２は、検査領域Ｒにおいて、被検査物Ｓを搬送する。搬送部１２は、ＸＹ平面（互いに直交するＸ軸及びＹ軸を含む平面であって、例えば、水平面）に平行な搬送面１２ａを有しており、無端状のコンベアベルト１２１によって、Ｘ軸に平行な搬送方向Ａに沿って搬入口１１ａから搬出口１１ｂまで被検査物Ｓを搬送する。
【００２０】
光照射部１３は、検査領域Ｒにおいて、搬送部１２によって搬送される被検査物Ｓに励起光を照射する。光照射部１３は、筐体１１の内壁面に取り付けられており、搬送面１２ａの一方の側（Ｘ軸及びＹ軸に直交するＺ軸に平行な方向における搬送面１２ａの一方の側であって、例えば、鉛直方向における搬送面１２ａの上側）から被検査物Ｓに励起光を照射する。光照射部１３は、光源１３１と、集光部１３２と、光学フィルタ１３３と、を有している。光源１３１は、Ｙ軸に平行な方向に沿って配列された複数の発光素子（例えば、発光ダイオード）であって、励起光を出射する。集光部１３２は、光学素子（例えば、シリンドリカルレンズ）であって、光源１３１から出射された励起光を、Ｙ軸に平行な方向に沿うように集光する。光学フィルタ１３３は、励起光を透過させる一方で、励起光の波長帯以外、特に長波長側の光を減衰させる。例えば、励起光が紫外域の波長帯を有する場合には、光学フィルタ１３３は、可視域の波長帯を有する光を減衰させる。
【００２１】
光検出部１４は、検査領域Ｒにおいて、異物Ｆが発生する蛍光を検出する。光検出部１４は、筐体１１の内壁面に取り付けられており、搬送面１２ａの一方の側（Ｘ軸及びＹ軸に直交するＺ軸に平行な方向における搬送面１２ａの一方の側であって、例えば、鉛直方向における搬送面１２ａの上側）から蛍光を検出する。光検出部１４は、光学フィルタ１４１と、複数の光検出素子１４２と、を有している。光学フィルタ１４１は、蛍光を透過させる一方で、蛍光の波長帯よりも短波長側の光を減衰させる。例えば、蛍光が可視域の波長帯を有する場合には、光学フィルタ１４１は、紫外域の波長帯を有する光を減衰させる。複数の光検出素子１４２は、Ｙ軸に平行な方向（搬送面１２ａに垂直な方向から見た場合に、搬送方向Ａと交差する方向）に沿って配列されている。各光検出素子１４２は、受光素子（例えば、フォトダイオード）であって、光学フィルタ１４１を透過した蛍光を検出する。なお、光学フィルタ１４１は、蛍光の波長帯よりも短波長側の光の一部である励起光の反射光の一部を蛍光と共に透過させ、各光検出素子１４２は、光学フィルタ１４１を透過した励起光の反射光の一部を蛍光と共に検出する。つまり、光検出部１４は、被検査物Ｓで反射された励起光の反射光を蛍光と共に検出する。
【００２２】
光照射部１３が被検査物Ｓに照射する励起光は、異物Ｆに蛍光を発光させるための光であって、例えば、紫外域の波長帯を有する光である。励起光の照射によって異物Ｆから発光する蛍光は、励起光の波長とは異なる波長を有する光であって、例えば、可視域の波長帯を有する光である。なお、励起光の中心波長は、蛍光の中心波長に対してずれていればよい。つまり、励起光及び蛍光については、少なくとも互いの中心波長（ピーク波長）がずれていれば、互いの波長帯が完全にずれている必要はない。ただし、励起光の波長帯と蛍光の波長帯とは、完全にずれていることが好ましい。
【００２３】
処理部１５は、光検出部１４から出力された信号に基づいて被検査物Ｓの画像を生成する。表示部１６は、処理部１５によって生成された画像を表示する。
【００２４】
処理部１５は、生成した画像に基づいて、例えば、被検査物Ｓの明度を検出することにより、被検査物Ｓの検査面が、表面である第１面Ｓ１か、もしくは裏面である第２面Ｓ２であるかを判定する。更に、処理部１５は、判定結果に基づいて異物検査条件を逐次変更させ、生成した画像から、被検査物Ｓの検査面に異物Ｆが含まれているか否かを検査する。
【００２５】
処理部１５は、図２のフローチャートに示すように、被検査物Ｓの存在領域を抽出し、その領域について、被検査物Ｓの表裏判定処理を行い、その後異物検出処理を行う。
【００２６】
ステップ１：被検査物Ｓの存在領域抽出
被検査物Ｓの存在する領域を抽出する方法について説明する。光検査装置の電源を入れ、光源の光量が安定したのち、被検査物Ｓが存在しない状態で、バックグラウンドとして検査画像を取得する。取得した検査画像から、バックグラウンドの明度を算出し、バックグラウンド設定を行う。そのあと、被検査物Ｓを光検査装置に供給し、検査画像を生成する。その検査画像より、被検査物Ｓの明度を算出し、被検査物Ｓが存在する明度の上限値よりも低い明度で閾値を設定する。これにより、閾値よりも明度が高い部分を被検査物Ｓが存在する領域と判定し、領域抽出を行う。この閾値設定では、被検査物Ｓの表裏にかかわらず、被検査物の存在領域を抽出する必要があるため、表側、裏側両方の被検査物Ｓの検査画像から、必ず被検査物Ｓを抽出できる閾値を設定する。
【００２７】
ステップ２：表裏判定処理
被検査物Ｓの存在領域を抽出した後、抽出した領域において、表裏判定処理を行う。その表裏判定処理について説明する。被検査物Ｓの検査を行う前に、初期設定として被検査物Ｓの表裏を判定する明度の閾値設定を行う。
【００２８】
被検査物Ｓの表面である第１面Ｓ１を上面にし、光検査装置に搬送し、検査画像を生成する。同様に、被検査物Ｓの裏面である第２面Ｓ２を上面にし、光検査装置に搬送し、検査画像を生成する。このようにして、第1面Ｓ１及び第２面Ｓ２の検査画像を所定枚数取得し、取得した検査画像から、第１面Ｓ１、及び第２面Ｓ２の明度分布を求める。求めた明度分布より、確実に第１面Ｓ１と判定される閾値Ｔ１、及び第２面Ｓ２と判定される閾値Ｔ２を決定し、設定を行う。
【００２９】
具体的には、裏面である第２面Ｓ１に皮がある場合は、表面の第１面Ｓ１よりも高い明度になるため、第２面Ｓ２であると判定するには、閾値Ｔ２以上の明度であること、第１面Ｓ１であると判定するには、閾値Ｔ１以上、Ｔ２未満の領域にあること、となる。よって、閾値はそれぞれ一意に決定した値でもよいし、範囲で設定でもよい。また、閾値の決定方法は、第１面Ｓ１、第２面Ｓ２の明度分布から目視で決定してもよいし、処理部１５に演算させることもできる。
【００３０】
また、第１面Ｓ１閾値Ｔ１、又は第２面Ｓ１の閾値Ｔ２のどちらか一方のみを算出し、その閾値を基準に二値化処理を行い、処理後に明度が低くなった領域と、ステップ１で抽出した被検査物Ｓの存在領域の面積とを比較し、所定面積以上であれば、第２面Ｓ２、それ以外は第１面Ｓ１と判断する方法をとってもよい。
【００３１】
ステップ３：異物検出処理
被検査物Ｓの表裏を判定した後、異物検出処理を行う。その異物検出処理について説明する。まず、異物を検出するための閾値設定を行うが、被検査物Ｓの表と裏で表面の明度が異なるため、それぞれ個別に設定を行う必要がある。
【００３２】
最初に被検査物Ｓの表側である第１面Ｓ１の異物検出処理の設定を行う。異物Ｆ（もしくは疑似異物サンプル）を、被検査物Ｓの第１面Ｓ１上にセットし、光検査装置に搬送する。生成された検査画像より、被検査物Ｓ、及び異物Ｆの明度を算出する。被検査物Ｓの表側が魚の身側の場合、励起光の反射率が大きくないため、明度が低く、異物Ｆの蛍光発光の明度と十分な明度差が確保できる。よって、異物Ｆの明度変動範囲を考慮しつつ、異物閾値Ｔ０１を設定する。
【００３３】
次に、被検査物Ｓの裏側である第２面Ｓ２の異物検出処理の設定を行う。第１面Ｓ１と同様に、異物Ｆ（もしくは疑似異物サンプル）を、被検査物Ｓの第２面Ｓ２上にセットし、光検査装置に搬送し、検査画像を生成する。生成した検査画像より、被検査物Ｓ、及び異物Ｆの明度を算出する。被検査物Ｓの裏側が魚の皮側の場合、励起光の反射率が大きいため、明度が高い。よって、表面の第１面Ｓ１と同様に閾値だけで異物Ｆを検出するような設定にすると、検出もれが発生する可能性がある。そのため、十分な明度差ができるように少なくとも１つ以上のフィルタ処理を行う。具体的には、コントラストを強調するソーベルフィルタ、収縮フィルタ、二値化処理などのフィルタを組合せる。そして、フィルタ処理後の検査画像において、異物閾値Ｔ０２を設定する。これにより、被検査物Ｓの表側、裏側どちらの異物Ｆも精度よく検出することができる。
【００３４】
この異物検出処理設定時における異物は、実際の異物Ｆ、もしくは疑似異物サンプルの他に、画像上に異物Ｆを生成する手法をとってもよい。
【００３５】
次に、被検査物Ｓが固まって搬送されるため、検査画面上に被検査物Ｓが複数存在し、かつ表裏がランダムに供給される場合について説明する。この場合、図３のフローチャートのように処理を行う。
【００３６】
ステップa：被検査物Ｓの存在領域抽出
通常の処理では、検査画像は、検出部が被検査物Ｓを捉えた瞬間から、検出しなくなるまでの出力を使用した１枚の画像として生成される。しかし、被検査物Ｓが固まって搬送された場合、１つの被検査物Ｓについて同様の処理を行うと、別の位置（例えば、図４のＳ‘）にある被検査物Ｓが生成した検査画像から切れてしまう。そこで、被検査物Ｓが検査画像から切れてしまうことは状況によっては避けられないため、検査画像の生成を、被検査物Ｓの存在有無を起点にするのではなく、検出部からの出力を取得する基準時間を設定し、その時間分の出力を使用し、画像生成することにした。前の画像と次の画像にまたがる被検査物Ｓは、境界に存在する異物Ｆが検出しにくいため、次の画像は、前の画像の境界部分の所定時間分を含む基準時間で画像を生成する。このようにして検査画像を生成したのち、ステップ１と同様に、被検査物Ｓの存在領域を抽出する（図５（a））。
【００３７】
ステップb：表裏判定処理
ステップaで抽出した、被検査物Ｓが存在する領域について、被検査物Ｓが表か裏かを判定する。判定処理は、ステップ２と同様に行う。
【００３８】
ステップc：マスク処理（被検査物Ｓ表側）
ステップbで表側と判定した被検査物Ｓ存在領域について、マスク処理を行う。すると、ステップbで裏側と判定した被検査物Ｓの存在領域のみが残る検査画像Ｇが得られる（図５（ｂ））。
【００３９】
ステップd：異物検査処理（被検査物Ｓ裏側）
ステップcで裏側を向いた被検査物Ｓの存在領域のみを抽出した検査画像Ｇについて、異物検査処理を行う。全て裏側（第２面Ｓ２）のため、裏側用の異物検査処理の設定を使用し、異物検出処理を行う。
【００４０】
ステップｃ‘：マスク処理（被検査物Ｓ裏側）
次に、ステップaで生成した、被検査物Ｓの存在領域を抽出した検査画像について、ステップbで裏側と判定した領域にマスク処理を行う。すると、ステップbで表側と判定した領域のみが残る検査画像Ｇ‘が得られる（図５（ｃ））。
【００４１】
ステップd’：異物検査処理（被検査物Ｓ表側）
ステップc’で得られた検査画像Ｇ‘に対して、異物検査処理を行う。検査画像Ｇ’では、被検査物Ｓの表側のみが残っている為、表側用の異物検査処理の設定を使用し、異物検出処理を行う。
【００４２】
以上、説明したように、光検査装置１０では、被検査物Ｓ、例えば魚のフィレの表裏がランダムに、また固まって搬送されてきた場合においても、表裏を判別し、表裏各々に合わせた異物検査処理を行うことで、精度よく異物Ｆを検出することができる。
【００４３】
以上、本発明の一実施形態について説明したが、本発明は、上述した実施形態に限定されるものではない。
【００４４】
例えば、被検査物Ｓは、魚介類の切り身以外の食肉等であってもよく、異物Ｆは寄生虫以外の骨、鱗、内臓等であってもよい。また、光検査装置１０では、被検査物Ｓの表面である第１面Ｓ１及び裏面である第２面Ｓ２が検査面とされたが、例えば被検査物Ｓがブロック状である場合には、互いに隣り合う第１面と第２面とが検査面とされてもよい。また、励起光は、紫外域の波長帯を有する光に限定されず、異物Ｆに蛍光を発生させ得る波長を有する光であればよい。
【００４５】
また、図６に示されるように、光検査装置１０を並列に２台ならべ、その間に被検査物Ｓの裏表を転換させる転換機構を設けることで、被検査物Ｓの表裏の両面を検査するように構成されていてもよい。転換装置にて被検査物Ｓが正常に反転しているか否かは、前段と後段の検査画像に基づき、姿勢、特徴点の位置、明度、面積等の判定基準でもって判断してもよい。
【００４６】
また、上記実施形態では、転換装置によって被検査物Ｓの検査面が、例えば第１面Ｓ１から第２面Ｓ２に転換されていないと判定された場合に、被検査物Ｓを通常ラインと異なる第１ラインに振り分ける第１振分装置と、被検査物Ｓの第１面Ｓ１及び第２面Ｓ２の少なくとも１つに異物Ｆが含まれていると判定された場合に、被検査物Ｓを通常ラインと異なる第２ラインに振り分ける第２振分装置が構成されていてもよい。同様に、第１ラインと第２ラインとが設けられていてもよい。
【００４７】
また、光検査装置１０にて、異物Ｆが含まれていると判定された場合、作業者が、表示部１６に表示された被検査物Ｓの検査画像を確認して、異物Ｆを除去することができる。また、異物Ｆが含まれていると判定された被検査物Ｓを振分装置にて通常ラインとは異なるラインに振り分け、表示部１６に表示された被検査物Ｓの検査画像を別の表示部、または表示装置に表示させ、異物Ｆを除去することができる。
【００４８】
また、被検査物Ｓがアジ科の魚の場合、稜鱗を有しており、その部分が励起光照射により蛍光を発するため、異物Ｆと誤認してしまう恐れがある。よって、稜鱗部分にマスク処理を施してから、上述の異物検査処理を行う構成にしてもよい。具体的には、事前に稜鱗部分の蛍光発光の明度を取得し、その値に基づき閾値を設定する。そして、被検査物Ｓの検査画像を取得毎に、設定した閾値で二値化処理を行い、さらに異物Ｆが画面上から消える程度の回数の収縮フィルタをかける。その後、稜鱗部分を十分覆う面積になる回数の膨張フィルタをかけ、当該検査画像の異物検出処理後の画像と論理和をとり、稜鱗部分の誤検知をキャンセルする。また、アジ科の稜鱗に限らず、被検査物に誤検知になるような反射光や蛍光が含まれ、その明度や位置が特定されている場合、同様の処理を行ってもよい。
【００４９】
また、実施例に示した被検査物Ｓの領域抽出、表裏判定処理、等の処理は、処理を行いやすいよう、検査画像の明暗を適宜反転させて行ってもよい。
【００５０】
最後に、異物Ｆごとに、好適な励起光の波長の範囲、及びそれにより発生する蛍光の波長の範囲を例示する。
【００５１】
異物Ｆがアニサキスである場合、好適な励起光の波長の範囲は、３００〜４００ｎｍ（より好ましくは、３３０〜３５０ｎｍ）であり、それにより発生する蛍光の波長の範囲は、３８０〜５００ｎｍ（より好ましくは、４２０〜４５０ｎｍ）である。
【００５２】
異物Ｆがブリ線虫である場合、好適な励起光の波長の範囲は、３５０〜４５０ｎｍ（より好ましくは、３７０〜３９０ｎｍ）であり、それにより発生する蛍光の波長の範囲は、４２０〜５３０ｎｍ（より好ましくは、４４０〜４７０ｎｍ）である。
【００５３】
異物Ｆがサバの骨である場合、好適な励起光の波長の範囲は、３２０〜３８０ｎｍ（より好ましくは、３２０〜３４０ｎｍ）であり、それにより発生する蛍光の波長の範囲は、３８０〜４３０ｎｍ（より好ましくは、３８０〜４００ｎｍ）である。
【００５４】
異物Ｆがタイの鱗である場合、好適な励起光の波長の範囲は、３００〜４００ｎｍ（より好ましくは、３２０〜３４０ｎｍ）であり、それにより発生する蛍光の波長の範囲は、３８０〜５００ｎｍ（より好ましくは、３８０〜４００ｎｍ）である。
【００５５】
異物Ｆがタイの内臓である場合、好適な励起光の波長の範囲は、３２０〜５００ｎｍ（より好ましくは、３６０〜３８０ｎｍ）であり、それにより発生する蛍光の波長の範囲は、４８０〜５８０ｎｍ（より好ましくは、５１０〜５３０ｎｍ）である。
【符号の説明】
【００５６】
１０…光検査装置、１１…筐体、１２…搬送部、１３…光照射部、１４…検出部、１５…処理部、１６…表示部、３１…転換装置、Ｆ…異物、Ｓ…被検査物、Ｓ１…第１面、Ｓ２…第２面。
【図１】
2018155540.tif 000003
【図２】
2018155540.tif 000004
【図３】
2018155540.tif 000005
【図４】
2018155540.tif 000006
【図５】
2018155540.tif 000007
【図６】
2018155540.tif 000008